(57)【要約】  ＩＥＥＥ８０２．２１下のメディア独立ハンドオーバ（ＭＩＨ）および免許不要移動アクセス（ＵＭＡ）を統合する方法およびシステムが開示されている。公衆陸上移動網（ＰＬＭＮ）および免許不要移動アクセスネットワーク（ＵＭＡＮ）は、並行して展開される。ＵＭＡは、マルチモード無線送受信ユニット（ＷＴＲＵ）がＵＭＡＮにアクセスし、ＵＭＡＮを介してＰＬＭＮサービスを受信することができるようにサポートされる。ＭＩＨエンティティは、ＷＴＲＵおよびＵＭＡＮの両方に含まれ、ＷＴＲＵのＭＩＨエンティティは、ハンドオーバ・イベントおよび情報を監視し、ＰＬＭＮとＵＭＡＮとの間のハンドオーバのハンドオーバトリガを生成する。ＵＭＡＮにおけるＭＩＨエンティティは、ＷＴＲＵのＭＩＨエンティティと対話して、リモートイベント、ハンドオーバ情報、およびコマンドを報告する。
2009506587.tif 000002
【特許請求の範囲】
【請求項１】
公衆陸上移動網（ＰＬＭＮ）と、免許不要移動アクセスネットワーク（ＵＭＡＮ）と、を含み、マルチモード無線送受信ユニット（ＷＴＲＵ）が、ＵＭＡＮにアクセスして、前記ＵＭＡＮを介して前記ＰＬＭＮによって提供されるサービスを受信し、連続的なサービスのために前記ＰＬＭＮと前記ＵＭＡＮとの間でハンドオーバし得るように、免許不要移動アクセス（ＵＭＡ）がサポートされる、無線通信システムにおいて、メディア独立ハンドオーバ（ＭＩＨ）機能およびＵＭＡを統合するシステムであって、
マルチモードＷＴＲＵであって、
ハンドオーバ・イベントおよび情報を監視し、前記ＰＬＭＮと前記ＵＭＡＮとの間のハンドオーバのハンドオーバトリガを上位レイヤに送信するＭＩＨエンティティと、
前記ＵＭＡＮとインターフェイス接続をして、ハンドオーバ・イベントおよび情報を前記ＷＴＲＵの前記ＭＩＨエンティティに報告するＵＭＡＮインターフェイスと、
前記ＰＬＭＮとインターフェイス接続をして、ハンドオーバ・イベントおよび情報を前記ＷＴＲＵの前記ＭＩＨエンティティに報告するＰＬＭＮインターフェイスと
を含むマルチモードＷＴＲＵと、
前記ＵＭＡＮであって、
前記ＷＴＲＵへの無線アクセスを提供するアクセスポイント（ＡＰ）と、
前記ＷＴＲＵの前記ＭＩＨエンティティと対話して、前記ハンドオーバトリガの生成に関連するリモートハンドオーバ・イベント、情報、およびコマンドを報告するＭＩＨエンティティと、
前記ＵＭＡＮを介した前記ＰＬＭＮへのアクセスをサポートし、それによって前記ＷＴＲＵが、受信されたイベント、情報、およびコマンドに基づいてハンドオーバをトリガする、ＵＭＡネットワークコントローラ（ＵＮＣ）と
を含む前記ＵＭＡＮと
を備えることを特徴とするシステム。
【請求項２】
前記ＵＭＡＮは、Ｂｌｕｅｔｏｏｔｈ（登録商標）ネットワーク、ＩＥＥＥ８０２ネットワークおよびＨＹＰＥＲＬＡＮ／２のうちの１つであり、前記ＰＬＭＮは、移動通信用グローバルシステム（ＧＳＭ）ネットワーク、第３世代パートナーシッププロジェクト（３ＧＰＰ）ネットワーク、および３ＧＰＰ２ネットワークのうちの１つであることを特徴とする請求項１に記載のシステム。
【請求項３】
前記ＷＴＲＵは、ＵＭＡプロトコルスタックおよびＧＳＭプロトコルスタックを含み、サービスアクセスポイントが、前記ＭＩＨエンティティと前記ＵＭＡプロトコルスタックとの間、および前記ＭＩＨエンティティと前記ＧＳＭプロトコルスタックとの間に設けられることを特徴とする請求項１に記載のシステム。
【請求項４】
前記ＷＴＲＵの前記ＭＩＨエンティティ、および前記ＵＭＡＮの前記ＭＩＨエンティティは、レイヤ独立エンティティであることを特徴とする請求項１に記載のシステム。
【請求項５】
前記ＵＭＡＮの前記ＭＩＨエンティティは、前記ＡＰに含まれることを特徴とする請求項１に記載のシステム。
【請求項６】
前記ＵＭＡＮの前記ＭＩＨエンティティは、前記ＵＮＣに含まれることを特徴とする請求項１に記載のシステム。
【請求項７】
前記ＷＴＲＵの前記ＵＭＡＮインターフェイスは、イベント、情報、およびコマンドを交換するために、イベントサービス（ＥＳ）、情報サービス（ＩＳ）、およびコマンドサービス（ＣＳ）によって前記ＷＴＲＵの前記ＭＩＨエンティティと通信することを特徴とする請求項１に記載のシステム。
【請求項８】
前記リモートイベントは、レイヤ２トランスポートを介して前記ＷＴＲＵの前記ＭＩＨエンティティと前記ＵＭＡＮの前記ＭＩＨエンティティとの間で通信されることを特徴とする請求項１に記載のシステム。
【請求項９】
前記ＷＴＲＵの前記ＭＩＨエンティティは、上位レイヤトランスポートプロトコルの使用を介して前記ＵＭＡＭの前記ＭＩＨエンティティと通信することを特徴とする請求項１に記載のシステム。
【請求項１０】
前記ＵＭＡＮは、前記ＵＭＡＮの前記ＭＩＨエンティティを制御するＭＩＨネットワークエンティティをさらに含むことを特徴とする請求項１に記載のシステム。
【請求項１１】
公衆陸上移動網（ＰＬＭＮ）と、免許不要移動アクセスネットワーク（ＵＭＡＮ）と、を含み、マルチモード無線送受信ユニット（ＷＴＲＵ）が、ＵＭＡＮにアクセスして、前記ＵＭＡＮを介して前記ＰＬＭＮによって提供されるサービスを受信し、連続的なサービスのために前記ＰＬＭＮと前記ＵＭＡＮとの間でハンドオーバし得るように、免許不要移動アクセス（ＵＭＡ）がサポートされる、無線通信システムにおいて、メディア独立ハンドオーバ（ＭＩＨ）機能およびＵＭＡを統合する方法であって、
（ａ）前記ＷＴＲＵおよび前記ＵＭＡＮにそれぞれＭＩＨエンティティを設けるステップと、
（ｂ）前記ＷＴＲＵの前記ＭＩＨエンティティが、ローカルおよびリモートのハンドオーバ・イベント、情報、およびコマンドを集めるステップと、
（ｃ）前記ＷＴＲＵの前記ＭＩＨエンティティが、前記集められたハンドオーバ・イベントおよび情報に基づいて、ハンドオーバをトリガする閾値が満たされているか、またはハンドオーバコマンドが発行されているかを判定するステップと、
（ｄ）ステップ（ｃ）での前記判定が正である場合、前記ＷＴＲＵの前記ＭＩＨエンティティは、ハンドオーバトリガを上位レイヤに送信することによって前記ＰＬＭＮと前記ＵＭＡＮとの間のハンドオーバを開始するステップと
を含むことを特徴とする方法。
【請求項１２】
前記ＵＭＡＮは、Ｂｌｕｅｔｏｏｔｈ（登録商標）ネットワーク、ＩＥＥＥ８０２ネットワークおよびＨＹＰＥＲＬＡＮ／２のうちの１つであり、前記ＰＬＭＮは、移動通信用グローバルシステム（ＧＳＭ）ネットワーク、第３世代パートナーシッププロジェクト（３ＧＰＰ）ネットワーク、および３ＧＰＰ２ネットワークのうちの１つであることを特徴とする請求項１１に記載の方法。
【請求項１３】
前記ＷＴＲＵの前記ＭＩＨエンティティ、および前記ＵＭＡＮの前記ＭＩＨエンティティは、レイヤ独立エンティティであることを特徴とする請求項１１に記載の方法。
【請求項１４】
前記ＵＭＡＮの前記ＭＩＨエンティティは、アクセスポイントに含まれることを特徴とする請求項１１に記載の方法。
【請求項１５】
前記ＵＭＡＮの前記ＭＩＨエンティティは、ＵＭＡネットワークコントローラ（ＵＮＣ）に含まれることを特徴とする請求項１１に記載の方法。
【請求項１６】
前記ハンドオーバ・イベント、情報、およびコマンドは、イベントサービス（ＥＳ）、情報サービス（ＩＳ）、およびコマンドサービス（ＣＳ）によって通信されることを特徴とする請求項１１に記載の方法。
【請求項１７】
前記リモートイベント、情報、およびコマンドは、レイヤ２トランスポートを介して通信されることを特徴とする請求項１１に記載の方法。
【請求項１８】
前記ＷＴＲＵの前記ＭＩＨエンティティは、上位レイヤトランスポートプロトコルの使用を介して前記ＵＭＡＭの前記ＭＩＨエンティティと通信することを特徴とする請求項１１に記載の方法。
【発明の詳細な説明】
【技術分野】
【０００１】
本発明は、無線通信システムに関する。より詳細には、本発明は、ＩＥＥＥ８０２．２１下のメディア独立ハンドオーバ（ｍｅｄｉａ  ｉｎｄｅｐｅｎｄｅｎｔ  ｈａｎｄｏｖｅｒｓ：ＭＩＨ）および免許不要移動アクセス（ｕｎｌｉｃｅｎｓｅｄ  ｍｏｂｉｌｅ  ａｃｃｅｓｓ：ＵＭＡ）を統合する方法およびシステムに関する。
【背景技術】
【０００２】
様々なタイプのサービスを提供するために、様々なタイプの無線通信システムが開発されてきた。無線通信システムのいくつかの例には、無線ローカルエリアネットワーク（ＷＬＡＮ）、無線広域ネットワーク（ＷＷＡＮ）、ユニバーサル移動通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ：ＵＭＴＳ）などのセルラーネットワークなどがある。こうした各システムは、各システムが意図される特定の用途を提供するために、開発され、手が加えられてきた。
【０００３】
企業、住宅、および公の領域における無線通信ネットワークの採用の普及によって、ユーザがあるネットワークから別のネットワークに移動するとき、連続的な接続をサポートすることができる。台頭しつつある「常時接続」のライフスタイルによって、無線送受信ユニット（ＷＴＲＵ）（すなわち移動局）は、複数の異種ネットワークをサポートすることが求められる。これらのネットワーク間でシームレスにハンドオーバするために、ＩＥＥＥ８０２．２１ＭＩＨが提案されている。
【０００４】
一方で、ＵＭＡ技術は、Ｂｌｕｅｔｏｏｔｈ（登録商標）やＩＥＥＥ８０２．１１など、免許不要スペクトル技術を介した移動通信用グローバルシステム（ｇｌｏｂａｌ  ｓｙｓｔｅｍ  ｆｏｒ  ｍｏｂｉｌｅ  ｃｏｍｍｕｎｉｃａｔｉｏｎ：ＧＳＭ）、および汎用パケット無線サービス（ＧＰＲＳ）へのアクセスを提供する。ＵＭＡ技術を展開することによって、サービスプロバイダは、加入者が、デュアルモードＷＴＲＵを使用してセルラーネットワークと公衆および私設の免許不要無線ネットワークとの間でローミングし、ハンドオーバできるようにすることができる。ＵＭＡによって、加入者は、ネットワーク間を移行するとき、連続的なサービスを受ける。
【０００５】
しかし、ＵＭＡ技術は、特定のハンドオーバ状態がどのように起こり、異種のリンクレイヤがこれらの状態を、ハンドオーバを処理する上位レイヤにどのように伝えることができるかについて対処していない。したがって、ＵＭＡには、上位レイヤへのトリガを生成するための手順または機能がない。
【発明の開示】
【発明が解決しようとする課題】
【０００６】
したがって、ＵＭＡアーキテクチャ内でのハンドオーバのトリガを提供する必要がある。
【課題を解決するための手段】
【０００７】
本発明は、ＩＥＥＥ８０２．２１下のＭＩＨおよびＵＭＡを統合する方法およびシステムに関する。公衆陸上移動網（ｐｕｂｌｉｃ  ｌａｎｄ  ｍｏｂｉｌｅ  ｎｅｔｗｏｒｋ：ＰＬＭＮ）および免許不要移動アクセスネットワーク（ＵＭＡＮ）は、並行して展開される。ＵＭＡは、マルチモードＷＴＲＵがＵＭＡＮにアクセスし、ＵＭＡＮを介してＰＬＭＮサービスを受信することができるようにサポートされる。ＭＩＨエンティティは、ＷＴＲＵおよびＵＭＡＮの両方に含まれ、ＷＴＲＵのＭＩＨエンティティは、ハンドオーバ・イベントおよび情報を監視し、ＰＬＭＮとＵＭＡＮとの間のハンドオーバ用のハンドオーバトリガを生成する。ＵＭＡＮにおけるＭＩＨエンティティは、ＷＴＲＵのＭＩＨエンティティと対話して、リモートイベント、ハンドオーバ情報、およびコマンドを報告する。
【０００８】
一例として示され、添付の図面と併せ読めば理解される好ましい例の以下の説明から、本発明のより詳細な理解が得られる。
【発明を実施するための最良の形態】
【０００９】
以下、「ＷＴＲＵ」という用語は、それだけには限定されないが、ユーザ機器、移動局、固定または移動の加入者局、ページャ、または無線環境で動作することができる他の任意のタイプの装置を含む。以下、「基地局」および「ＡＰ」という用語は、それだけには限定されないが、Ｎｏｄｅ−Ｂ、サイトコントローラ、または無線環境における他の任意のタイプのインターフェイス装置を含む。
【００１０】
本発明の特徴は、集積回路（ＩＣ）に組み込むことも、多数の相互接続する構成要素を含む回路で構成することもできる。
【００１１】
図１は、無線通信システム１００の従来のＵＭＡ機能アーキテクチャを示している。無線通信システム１００は、ＵＭＡＮ１１０およびＰＬＭＮ１２０を含む。ＵＭＡＮ１１０は、Ｂｌｕｅｔｏｏｔｈ（登録商標）ネットワーク、ＩＥＥＥ８０２．１１ネットワーク、または免許不要の周波数帯域を使用する他の類似の無線ネットワークとすることができる。ＰＬＭＮ１２０は、それだけには限定されないが、第３世代パートナーシッププロジェクト（ｔｈｉｒｄ  ｇｅｎｅｒａｔｉｏｎ  ｐａｒｔｎｅｒｓｈｉｐ  ｐｒｏｊｅｃｔ：３ＧＰＰ）および３ＰＰ２ネットワークを含む任意のタイプのセルラーネットワークとすることができる。
【００１２】
ＵＭＡＮ１１０は、少なくとも１つのＡＰ１１２および少なくとも１つのＵＭＡネットワークコントローラ（ＵＭＣ）１１６、およびＡＰ１１２とＵＮＣ１１６とを接続する広帯域ＩＰネットワーク１１４を含む。ＡＰ１１２は、ＷＴＲＵ１０２への無線アクセスを提供する。広帯域ＩＰネットワーク１１４は、ＡＰ１１２とＵＮＣ１１６との間の接続を提供する。ＷＴＲＵ１０２は、それだけには限定されないが、ＩＥＥＥ８０２．３、８０２．１１、８０２．１５、８０２．１６、８０２．２０、Ｂｌｕｅｔｏｏｔｈ（登録商標）、ＨＹＰＥＲＬＡＮ／２、３ＧＰＰおよび３ＧＰＰ２を含む複数のインターフェイスをサポートするマルチモード装置である。ＰＬＭＮ１２０には、数ある中でも、移動交換局（ＭＳＣ）１２２、サービングＧＰＲＳサポートノード（ｓｅｒｖｉｎｇ  ＧＰＲＳ  ｓｕｐｐｏｒｔ  ｎｏｄｅ：ＳＧＳＮ）１２４、認証、許可、および課金（ａｕｔｈｅｎｔｉｃａｔｉｏｎ，  ａｕｔｈｏｒｉｚａｔｉｏｎ  ａｎｄ  ａｃｃｏｕｎｔｉｎｇ：ＡＡＡ）サーバ１２６、およびホームロケーションレジスタ（ＨＬＲ）１２８などがある。ＵＮＣ１１６は、ＵＭＡＮ１１０を介したＷＴＲＵ１０２の回路交換（ＣＳ）サービスおよびパケット交換（ＰＳ）サービスをそれぞれサポートするＭＳＣ１２２およびＳＧＳＮ１２４に接続する。
【００１３】
図２は、本発明によるＷＴＲＵ２０２とＵＭＡＮ２１０との間のシグナリング（すなわちＡＰ２１２、ＵＮＣ２１６、およびＭＩＨネットワークエンティティ２１８）を示している。ＭＩＨエンティティ２５２、２５４はそれぞれ、ＷＴＲＵ２０２およびネットワーク２１０に含まれており、異種ネットワーク間のシームレスなハンドオーバをサポートする。ＭＩＨエンティティ２５２、２５４は、単独のレイヤ独立エンティティであり、ただ１つのハンドオーバ管理エンティティとして独立して働いてもよく、または既存の技術固有のハンドオーバエンティティと連係してもよい。ネットワーク内のＭＩＨエンティティ２５４は、単独のエンティティでもよく、またはＡＰ２１２やＵＮＣ２１６など、任意のエンティティに属していてもよい。
【００１４】
ＷＴＲＵ２０２は、ＩＥＥＥ８０２インターフェイス２２０、ＧＳＭ ＥＤＧＥ無線アクセスネットワーク（ＧＥＲＡＮ）ネットワークインターフェイス２３０、およびＭＩＨエンティティ２５２を含む。ＷＴＲＵ２０２は、１つまたは複数の追加のＭＩＨユーザ２３２を有していてもよい。ＩＥＥＥ８０２インターフェイス２２０は、論理リンク制御／コンバージェンスサブレイヤ（ｌｏｇｉｃａｌ  ｌｉｎｋ  ｃｏｎｔｒｏｌ／ｃｏｎｖｅｒｇｅｎｃｅ  ｓｕｂ−ｌａｙｅｒ：ＬＬＣ／ＣＳ）２２２、媒体アクセス制御（ＭＡＣ）レイヤ２２４、および物理（ＰＨＹ）レイヤ２２６を含む。簡潔にするために、図２は、下位レイヤのエンティティのみを示しており、上位レイヤエンティティは、図５に示されていることに留意されたい。
【００１５】
ＷＴＲＵ２０２におけるＭＩＨエンティティ２５２は、ローカルハンドオーバ・イベント、情報、およびコマンド２４４ａ〜２４４ｄをＷＴＲＵ２０２の下位レイヤ（すなわちＬＬＣ／ＣＳレイヤ２２２、ＭＡＣレイヤ２２４、およびＰＨＹレイヤ２２６）と交換し、リモートイベント、情報、およびコマンド２４２をネットワーク２１０のＭＩＨエンティティ２５４と交換する。ローカルハンドオーバ情報は、ＭＩＨエンティティ２５２とＭＡＣ／ＰＨＹレイヤ２２４／２２６との間で情報サービス（ＩＳ）２４４ａによって伝えられ、コマンドサービス（ＣＳ）２４４ｂおよびイベントサービス（ＥＳ）２４４ｃは、管理エンティティ２２８を介して、ローカルハンドオーバ・イベントおよびコマンドについて、ＭＩＨエンティティ２５２とＭＡＣ／ＰＨＹレイヤ２２４／２２６との間で交換される。これらのローカルイベント、情報、およびコマンド２４４ａ〜２４４ｃは、ＭＩＨエンティティ２５２のＬＩＮＫ−ＳＡＰ２６４を介して伝えられる。また、リモートイベント２４２は、レイヤ２トランスポート２４２を介して、ＩＳ、ＣＳ、ＥＳによってＭＩＨエンティティ２５４とＭＩＨエンティティ２５２との間で伝えられる。また、ＭＩＨエンティティ２５２は、ローカルイベントについて、ＬＬＣ−ＳＡＰ２６２を介してＬＬＣ／ＣＳ２２２に伝える。
【００１６】
ＧＥＲＡＮネットワークインターフェイス２３０は、３Ｇ−ＬＩＮＫ−ＳＡＰ２６６を介して、ＥＳ、ＣＳ、およびＩＳ ２４４ｅによってＭＩＨエンティティ２５２にハンドオーバ・イベントを伝える。また、追加のＭＩＨユーザ２３２は、ＭＩＨ−ＳＡＰ２６８を介して、ＥＳ、ＣＳ、およびＩＳ ２４４ｘによってＭＩＨエンティティ２５２にハンドオーバ・イベントを伝える。ＭＩＨユーザ２３２は、ＭＩＨエンティティ２５２によって提供されるＭＩＨサービスを活用することができる任意のモビリティアプリケーション（ｍｏｂｉｌｉｔｙ  ａｐｐｌｉｃａｔｉｏｎ）である。図５のＵＭＡ−ＲＲ５１２およびＧＳＭ−ＲＲ５２２は、ＭＩＨユーザの例である。
【００１７】
ハンドオーバ・イベントおよび情報は、ハンドオーバに関連する任意のイベントまたは情報とすることができる。例えば、ネットワーク２１０において回復不能な障害状態が起こった場合、ネットワーク２１０は、ＷＴＲＵ２０２が異なるネットワークインターフェイスに切り替えることができるように、この発生をＷＴＲＵ２０２に信号で伝えることができる。別の例は、より良い無線／サービス状態（より良い価格、より良いＱｏＳなど）の代替ネットワークの存在である。ハンドオーバの実行を命令するために、ＭＩＨユーザ（図５のＵＭＡ−ＲＲ５１２やＧＳＭ−ＲＲ５２２など）からコマンドが送信される。
【００１８】
ＡＰ２１２は、ＬＬＣ／ＣＳ２７２、ＭＡＣレイヤ２７４、ＰＨＹレイヤ２７６を含む。ネットワークでは、ローカルハンドオーバ・イベント、情報、およびコマンドは、管理エンティティ２７８を介して、ＩＳ、ＣＳ、およびＥＳ２４６ａ〜２４６ｂによって、ＭＡＣ／ＰＨＹレイヤ２７４／２７６とＭＩＨエンティティとの間、およびＬＬＣ／ＣＳ２７２とＭＩＨエンティティ２５４との間で伝えられる。
【００１９】
ＭＩＨエンティティ２５４は、単独で存在しており、上位レイヤトランスポートプロトコルまたはＬ２トランスポートを使用して、ローカルおよびリモートのイベント、情報、およびコマンドをＡＰ２１２に伝えることができる。あるいは、ＭＩＨエンティティ５２４およびＡＰ２１２は、同じ場所に存在していてもよい。ＭＩＨエンティティ２５４は、ＭＡＣ／ＰＨＹレイヤ２７４／２７６からローカルイベントを伝えるＬＩＮＫ−ＳＡＰ２８２、およびＬＬＣ／ＣＳ２７２からリモートイベントおよびローカルイベントを伝えるＬＬＣ−ＳＡＰ２８４を含む。
【００２０】
異なるネットワークの状態の現在のおよび予想される将来の任意の変化は、ＩＰなど、上位レイヤトランスポートプロトコルを介して、ＩＳ／ＣＳ／ＥＳ ２８０によって、ＭＩＨエンティティ２５２、２５４、および／またはＭＩＨネットワークエンティティ２１８（ＭＩＨサーバコントローラなど）の間にＮＥＴ−ＳＡＰ２６９、２８６を介してシグナリングすることができる。こうした状態には、ＭＡＣレイヤおよびＰＨＹレイヤの状態の変化や、負荷状態の変化などいくつかのネットワーク属性の変化などがある。ＷＴＲＵ２０２のＭＩＨエンティティ２５２は、リンクの品質、サービスおよび加入など、いくつかの基準に従って集められたイベント、情報、およびコマンドに基づいて、ハンドオーバが必要であるかどうかを判定する。
【００２１】
ＭＩＨネットワークエンティティ２１８は、ＩＥＥＥ８０２．２１プロトコルに従って動作することができるネットワーク内の任意のエンティティである。ＭＩＨネットワークエンティティ２１８は、ＭＩＨサービスのいずれか（すなわちＥＳ、ＩＳ、およびＣＳ）によって使用されるメッセージを処理する。しかし、ＭＩＨネットワークエンティティ２１８は、これらのメッセージに応答したり、作用したりする必要はなく、これらのメッセージを無視することができる。ＭＩＨエンティティ２５４は、ＭＩＨ−ＳＡＰ２８８を介してＩＳ、ＥＳ、ＣＳによってＭＩＨネットワークエンティティ２１８にハンドオーバ・イベントを伝える。また、ＭＩＨネットワークエンティティ２１８は、上位レイヤトランスポートプロトコルを使用してＵＮＣ２１６と通信する。例えば、ＭＩＨネットワークエンティティは、ハンドオーバコマンドおよび情報を生成し、それらをＭＩＨエンティティ２５４に送信することができ、ＭＩＨエンティティ２５４は、リモートイベントおよび技術間ネットワーク情報要求（ｉｎｔｅｒ−ｔｅｃｈｎｏｌｏｇｙ  ｎｅｔｗｏｒｋ  ｉｎｆｏｒｍａｔｉｏｎ  ｒｅｑｕｅｓｔ）を生成することができる。どちらの場合でも、メッセージは、２８０インターフェイスを流れる。
【００２２】
ＵＮＣ２１６は、ネットワーク機能情報をＭＩＨネットワークエンティティ２１８に提供する。さらに、ＵＮＣ２１６とＭＩＨネットワークエンティティ２１８との間のインターフェイスを使用して、ＩＥＥＥ８０２．２１対応であるが、ＵＭＡ機能をサポートしていないＷＴＲＵの技術間移動管理メッセージをサポートすることができる。このシナリオで、ＭＩＨネットワークエンティティ２１８は、ＵＮＣとＷＴＲＵとの間の相互動作機能として働くことができる。
【００２３】
図３および図４はそれぞれ、本発明によるＣＳドメインおよびＰＳドメインにおけるＵＭＡ−ＭＩＨプロトコルアーキテクチャを示している。ＵＭＡプロトコルアーキテクチャは、当分野ではよく知られており、したがって、簡潔にするために、本明細書では説明しない。本発明によれば、ＭＩＨエンティティ３５２、３５４は、上述したように、それぞれＷＴＲＵ３０２およびネットワークのプロトコルスタックに含まれている。ネットワーク内のＭＩＨエンティティは、単独のエンティティでもよく、または図３および図４に示されているように、ＡＰ３１２など、任意のネットワークエンティティに属していてもよい。ＷＴＲＵ３０２内のＭＩＨエンティティ３５２は、矢印３０２、４０２によって示されるように、ＭＩＨエンティティ３５４と対話して、リモートイベントを送受信する。図３〜図５は、一例として下位レイヤにおけるＩＥＥＥ８０２．ｘｘ技術を示しており、ＩＥＥＥ８０２．ｘｘ技術の代わりにＢｌｕｅｔｏｏｔｈ（登録商標）など任意のＵＭＡ技術を実装することができることに留意されたい。
【００２４】
図５は、本発明によるＷＴＲＵ  ＣＳドメインシグナリングアーキテクチャを示す図である。ＷＴＲＵ５０２は、ＵＭＡインターフェイスおよびＧＳＭインターフェイスの両方を含むマルチモード装置である。図５は、一例としてＧＳＭインターフェイスを示しており、３ＧＰＰ、３ＧＰＰ２、または他の任意のセルラーネットワークインターフェイスを実装することができることに留意されたい。ＷＴＲＵ５０２は、ＵＭＡプロトコルスタック５１０、ＧＳＭプロトコルスタック５２０、ＭＩＨエンティティ５３０、およびアクセスモードスイッチ５４０を含む。ＭＩＨエンティティ５３０は、ハンドオーバトリガイベント、情報、およびコマンドを監視するためにＷＴＲＵ５０２に設けられ、ハンドオーバトリガを生成し、上位レイヤ（移動管理レイヤ（ＭＭ）５２６など）に送信する。ＭＭレイヤ５２６および接続管理（ＣＭ）レイヤ５２７は、ＧＳＭモードおよびＵＭＡモードの場合に共通して動作し、ＧＳＭモードおよびＵＭＡモードは、アクセスモードスイッチ５４０によって選択的に切り替えられる。ＵＭＡプロトコルスタック５１０およびＧＳＭプロトコルスタック５２０の個々のレイヤおよびエンティティは、当分野ではよく知られており、したがって、簡潔にするために、本明細書では説明しない。ＵＭＡ無線リソースエンティティ（ＵＭＡ−ＲＲ）５１２およびＧＳＭ無線リソースエンティティ（ＧＳＭ−ＲＲ）５２２は、無線リソース管理機能を提供し、ＭＩＨエンティティ５３０と対話する。
【００２５】
既存のＳＡＰ（ＵＭＡＧＳＭ−ＳＡＰ５１４およびＧＳＭＵＭＡ−ＳＡＰ５２４）に加えて、本発明に従って、ＵＭＡ−ＲＲ５１２およびリモートＩＰレイヤ５１７とＭＩＨエンティティ５３０との間、ならびにＧＳＭ−ＲＲ５２２とＭＩＨエンティティ５３０との間に新しいサービスアクセスポイント（ＳＡＰ）が設けられる。ＭＩＨ−ＳＡＰ５０４は、ＭＩＨエンティティ５３０とＵＭＡ−ＲＲ５１２との間に設けられ、３ＧＬＩＮＫ−ＳＡＰ５０８は、ＭＩＨエンティティ５３０とＧＳＭ−ＲＲ５２２との間に設けられる。ＮＥＴ−ＳＡＰ５０６は、ＭＩＨエンティティ５３０とリモートＩＰレイヤ５１７との間に設けられる。
【００２６】
ＧＭＳ−ＲＲ５２２は、ハンドオーバ指示を生成するためにＭＩＨエンティティ５３０によって使用され得る既存の無線状態へのインターフェイスを提供する。この情報は、ＧＳＭＵＭＡ−ＳＡＰ５２４から直接取り出すことができる。ＧＳＭＵＭＡ−ＳＡＰ５２４と３ＧＬＩＮＫ−ＳＡＰ５０８との間の違いは、ＭＩＨエンティティ５３０を通過することによって、ＧＥＲＡＮ情報のみとは異なり、ＩＥＥＥ８０２およびＧＥＲＡＮを含む複合メッセージがＵＭＡ−ＲＲユーザに送信されることである。
【００２７】
ＭＩＨエンティティ５３０は、ＬＬＣレイヤ５１６、ＭＡＣレイヤ５１８（ＭＡＣレイヤ管理エンティティ（ＭＬＭＥ）５１８ａを介して）、およびＰＨＹレイヤ５１９（ＰＨＹレイヤ管理エンティティ（ＰＬＭＥ）５１９ａを介して）からローカルイベント５４４を集め、ネットワーク内のＭＩＨピアからリモートイベント５４２およびハンドオーバ関連の情報を集める。ＭＩＨエンティティ５３０は、ハンドオーバトリガイベントを監視し、ある閾値を上回る場合、集められたイベントおよび情報に基づいて、ハンドオーバトリガを生成する。
【００２８】
図６は、本発明によるＷＴＲＵ ＰＳドメインシグナリングアーキテクチャを示す図である。ＷＴＲＵ６０２は、ＵＭＡインターフェイスおよびＧＰＲＳインターフェイスの両方を含むマルチモード装置である。図６は、一例としてＧＰＲＳインターフェイスを示しており、３ＧＰＰ、３ＧＰＰ２、または他の任意のセルラーネットワークインターフェイスを実装することができることに留意されたい。ＷＴＲＵ６０２は、ＵＭＡプロトコルスタック６１０、ＧＰＲＳプロトコルスタック６２０、ＭＩＨエンティティ６３０、およびアクセスモードスイッチ６４０を含む。ＭＩＨエンティティ６３０は、ハンドオーバトリガイベント、情報、およびコマンドを監視するためにＷＴＲＵ６０２に設けられ、ハンドオーバトリガを生成し、上位レイヤに送信する。ＬＬＣレイヤ６５０は、ＧＰＲＳモード、およびＵＭＡモードの場合に共通して動作し、ＧＰＲＳモードおよびＵＭＡモードは、アクセスモードスイッチ６４０によって選択的に切り替えられる。ＵＭＡ無線リンク制御（ＵＭＡ−ＲＬＣ）レイヤ５１２は、ＧＰＲＳ−ＲＬＣレイヤ５２２とピア通信して、アクセスモード切替およびハンドオーバを調整する。
【００２９】
既存のＳＡＰ（ＵＭＡＧＰＲＳ−ＳＡＰ６１４およびＧＰＲＳＵＭＡ−ＳＡＰ６２４）に加えて、本発明に従って、ＵＭＡ−ＲＬＣ６１２とＭＩＨエンティティ６３０との間、およびＧＰＲＳ−ＲＬＣ６２２とＭＩＨエンティティ６３０との間に新しいサービスアクセスポイント（ＳＡＰ）が設けられる。ＭＩＨ−ＳＡＰ６０４は、ＭＩＨエンティティ６３０とＵＭＡ−ＲＬＣ６１２との間に設けられ、３ＧＬＩＮＫ−ＳＡＰ６０８は、ＭＩＨエンティティ６３０とＧＰＲＳ−ＲＬＣ６２２との間に設けられる。
【００３０】
ＭＩＨエンティティ６３０は、ＬＬＣレイヤ６１６、ＭＡＣレイヤ６１８（ＭＡＣレイヤ管理エンティティ（ＭＬＭＥ）６１８ａを介して）、およびＰＨＹレイヤ６１９（ＰＨＹレイヤ管理エンティティ（ＰＬＭＥ）６１９ａを介して）からローカルイベント６４４を集める。ＭＩＨエンティティ６３０は、ネットワーク内のＭＩＨピアからのリモートイベントおよびハンドオーバ情報６４２、６４４を交換する。リモートイベントおよびハンドオーバ情報は、ＮＥＴ−ＳＡＰ６５２を介してＭＩＨピアに送信されてもよい。ＭＩＨエンティティ６３０は、ハンドオーバトリガイベントを監視し、ある閾値を上回る場合、集められたイベントおよび情報に基づいて、ハンドオーバトリガを生成する。
【００３１】
図７は、本発明によるＵＭＡＮとＰＬＭＮとの間のハンドオーバをトリガするプロセス７００のフロー図である。ＭＩＨエンティティがＷＴＲＵおよびネットワークにそれぞれ設けられる（ステップ７０２）。ＷＴＲＵのＭＩＨエンティティは、ネットワーク内の下位レイヤおよびピアＭＩＨエンティティからハンドオーバ・イベント、およびハンドオーバ関連情報を集める（ステップ７０４）。ＷＴＲＵのＭＩＨエンティティは、集められたハンドオーバ・イベント、およびハンドオーバ関連情報に基づいて、ハンドオーバをトリガする閾値が満たされているかどうかを判定する（ステップ７０６）。ステップ７０６での判定が正である場合、ＷＴＲＵのＭＩＨエンティティは、ハンドオーバトリガを上位レイヤに送信することによってＰＬＭＮとＵＭＡＮとの間のハンドオーバを開始する（ステップ７０８）。閾値が満たされていない場合、プロセス７００は、ステップ７０４に戻ってハンドオーバ・イベントおよび情報を監視する。
【００３２】
実施形態
１．ＭＩＨ機能およびＵＭＡを統合するシステムは、ＰＬＭＮおよびＵＭＡＮを含む無線通信システムにおけるマルチモードＷＴＲＵおよびＵＭＡＮを含み、ＵＭＡは、マルチモードＷＴＲＵがＵＭＡＮにアクセスして、ＵＭＡＮを介してＰＬＭＮによって提供されるサービスを受信し、連続的なサービスのためにＰＬＭＮとＵＭＡＮとの間でハンドオーバし得るようにサポートされる。
【００３３】
２．マルチモードＷＴＲＵは、ハンドオーバ・イベントおよび情報を監視し、ＰＬＭＮとＵＭＡＮとの間のハンドオーバのハンドオーバトリガを上位レイヤに送信するＭＩＨエンティティを含む実施形態１のシステム。
【００３４】
３．マルチモードＷＴＲＵは、ＵＭＡＮとインターフェイス接続をして、ハンドオーバ・イベントおよび情報をＷＴＲＵのＭＩＨエンティティに報告するＵＭＡＮインターフェイスを含む実施形態１および２のうちの１つに記載のシステム。
【００３５】
４．マルチモードＷＴＲＵは、ＰＬＭＮとインターフェイス接続をして、ハンドオーバ・イベントおよび情報をＷＴＲＵのＭＩＨエンティティに報告するＰＬＭＮインターフェイスを含む実施形態１〜３のうちの１つに記載のシステム。
【００３６】
５．ＵＭＡＮは、ＷＴＲＵへの無線アクセスを提供するためのＡＰを含む実施形態１〜４のうちの１つに記載のシステム。
【００３７】
６．ＵＭＡＮは、ＷＴＲＵのＭＩＨエンティティと対話して、ハンドオーバトリガの生成に関連するリモートハンドオーバ・イベントを報告するＭＩＨエンティティを含む実施形態１〜５のうちの１つに記載のシステム。
【００３８】
７．ＵＭＡＮは、ＷＴＲＵのＭＩＨエンティティと対話して、ハンドオーバトリガの生成に関連するリモートハンドオーバ情報を報告するＭＩＨエンティティを含む実施形態１〜６のうちの１つに記載のシステム。
【００３９】
８．ＵＭＡＮは、ＷＴＲＵのＭＩＨエンティティと対話して、ハンドオーバトリガの生成に関連するリモートハンドオーバコマンドを報告するＭＩＨエンティティを含む実施形態１〜７のうちの１つに記載のシステム。
【００４０】
９．ＵＭＡＮは、ＵＭＡＮを介してＰＬＭＮへのアクセスをサポートするＵＮＣを含む実施形態１〜８のうちの１つに記載のシステム。
【００４１】
１０．ＷＴＲＵは、受信されたイベントに基づいてハンドオーバをトリガする実施形態１〜９のうちの１つに記載のシステム。
【００４２】
１１．ＷＴＲＵは、受信された情報に基づいてハンドオーバをトリガする実施形態１〜１０のうちの１つに記載のシステム。
【００４３】
１２．ＷＴＲＵは、受信されたコマンドに基づいてハンドオーバをトリガする実施形態１〜１１のうちの１つに記載のシステム。
【００４４】
１３．ＵＭＡＮはＢｌｕｅｔｏｏｔｈ（登録商標）ネットワークである実施形態１〜１２のうちの１つに記載のシステム。
【００４５】
１４．ＵＭＡＮはＩＥＥＥ８０２ネットワークである実施形態１〜１２のうちの１つに記載のシステム。
【００４６】
１５．ＵＭＡＮはＨＹＰＥＲＬＡＮ／２である実施形態１〜１２のうちの１つに記載のシステム。
【００４７】
１６．ＰＬＭＮはＧＳＭネットワークである実施形態１〜１５のうちの１つに記載のシステム。
【００４８】
１７．ＰＬＭＮは３ＧＰＰネットワークである実施形態１〜１５のうちの１つに記載のシステム。
【００４９】
１８．ＰＬＭＮは３ＧＰＰ２ネットワークである実施形態１〜１５のうちの１つに記載のシステム。
【００５０】
１９．ＷＴＲＵは、ＵＭＡプロトコルスタックを含み、サービスアクセスポイントは、ＭＩＨエンティティとＵＭＡプロトコルスタックとの間に設けられる実施形態１〜１８のうちの１つに記載のシステム。
【００５１】
２０．ＷＴＲＵは、ＧＳＭプロトコルスタックを含み、サービスアクセスポイントは、ＭＩＨエンティティとＧＳＭプロトコルスタックとの間に設けられる実施形態１〜１９のうちの１つに記載のシステム。
【００５２】
２１．ＷＴＲＵのＭＩＨエンティティはレイヤ独立エンティティである実施形態２〜２０のうちの１つに記載のシステム。
【００５３】
２２．ＵＭＡＮのＭＩＨエンティティはレイヤ独立エンティティである実施形態６〜２１のうちの１つに記載のシステム。
【００５４】
２３．ＵＭＡＮのＭＩＨエンティティはＡＰに含まれる実施形態６〜２２のうちの１つに記載のシステム。
【００５５】
２４．ＵＭＡＮのＭＩＨエンティティはＵＮＣに含まれる実施形態６〜２２のうちの１つに記載のシステム。
【００５６】
２５．ＷＴＲＵのＵＭＡＮインターフェイスは、イベントを交換するために、ＥＳによってＷＴＲＵのＭＩＨエンティティと通信する実施形態３〜２４のうちの１つに記載のシステム。
【００５７】
２６．ＷＴＲＵのＵＭＡＮインターフェイスは、情報を交換するために、ＩＳによってＷＴＲＵのＭＩＨエンティティと通信する実施形態３〜２５のうちの１つに記載のシステム。
【００５８】
２７．ＷＴＲＵのＵＭＡＮインターフェイスは、コマンドを交換するために、ＣＳによってＷＴＲＵのＭＩＨエンティティと通信する実施形態３〜２６のうちの１つに記載のシステム。
【００５９】
２８．リモートイベントは、レイヤ２トランスポートを介して、ＷＴＲＵのＭＩＨエンティティとＵＭＡＮのＭＩＨエンティティとの間で通信される実施形態６〜２７のうちの１つに記載のシステム。
【００６０】
２９．ＷＴＲＵのＭＩＨエンティティは、上位レイヤトランスポートプロトコルを使用してＵＭＡＭのＭＩＨエンティティと通信する実施形態６〜２７のうちの１つに記載のシステム。
【００６１】
３０．ＵＭＡＮは、ＵＭＡＮのＭＩＨエンティティを制御するＭＩＨネットワークエンティティをさらに含む実施形態１〜２９のうちの１つに記載のシステム。
【００６２】
３１．ＰＬＭＮおよびＵＭＡＮを含む無線通信システムにおいてＭＩＨ機能およびＵＭＡを統合する方法であって、ＵＭＡは、マルチモードＷＴＲＵがＵＭＡＮにアクセスして、ＵＭＡＮを介してＰＬＭＮによって提供されるサービスを受信し、連続的なサービスのためにＰＬＭＮとＵＭＡＮとの間でハンドオーバし得るようにサポートされる方法。
【００６３】
３２．ＷＴＲＵにＭＩＨエンティティを設けることを含む実施形態３１の方法。
【００６４】
３３．ＵＭＡＮにＭＩＨエンティティを設けることを含む実施形態３１および３２のうちの１つに記載の方法。
【００６５】
３４．ＷＴＲＵのＭＩＨエンティティは、ローカルおよびリモートのハンドオーバ・イベントを集めることをさらに含む実施形態３１〜３３のうちの１つに記載の方法。
【００６６】
３５．ＷＴＲＵのＭＩＨエンティティは、ローカルおよびリモートのハンドオーバ情報を集めることをさらに含む実施形態３１〜３４のうちの１つに記載の方法。
【００６７】
３６．ＷＴＲＵのＭＩＨエンティティは、ローカルおよび／またはリモートのハンドオーバコマンドを集めることをさらに含む実施形態３１〜３５のうちの１つに記載の方法。
【００６８】
３７．ＷＴＲＵのＭＩＨエンティティは、集められたハンドオーバ・イベントおよび情報に基づいて、ハンドオーバをトリガする閾値が満たされているか、またはハンドオーバコマンドが発行されているかを判定することをさらに含む実施形態３１〜３６のうちの１つに記載の方法。
【００６９】
３８．閾値テストが正である場合、ＷＴＲＵのＭＩＨエンティティは、ハンドオーバトリガを上位レイヤに送信することによってＰＬＭＮとＵＭＡＮとの間のハンドオーバを開始することをさらに含む実施形態３７の方法。
【００７０】
３９．ＵＭＡＮはＢｌｕｅｔｏｏｔｈ（登録商標）ネットワークである実施形態３１〜３８のうちの１つに記載の方法。
【００７１】
４０．ＵＭＡＮはＩＥＥＥ８０２ネットワークである実施形態３１〜３８のうちの１つに記載の方法。
【００７２】
４１．ＵＭＡＮはＨＹＰＥＲＬＡＮ／２である実施形態３１〜３８のうちの１つに記載の方法。
【００７３】
４２．ＰＬＭＮはＧＳＭネットワークである実施形態３１〜４１のうちの１つに記載の方法。
【００７４】
４３．ＰＬＭＮは３ＧＰＰネットワークである実施形態３１〜４１のうちの１つに記載の方法。
【００７５】
４４．ＰＬＭＮは３ＧＰＰ２ネットワークである実施形態３１〜４１のうちの１つに記載の方法。
【００７６】
４５．ＷＴＲＵのＭＩＨエンティティはレイヤ独立エンティティである実施形態３２〜４４のうちの１つに記載の方法。
【００７７】
４６．ＵＭＡＮのＭＩＨエンティティはレイヤ独立エンティティである実施形態３３〜４５のうちの１つに記載の方法。
【００７８】
４７．ＵＭＡＮのＭＩＨエンティティはＡＰに含まれる実施形態３３〜４６のうちの１つに記載の方法。
【００７９】
４８．ＵＭＡＮのＭＩＨエンティティはＵＮＣに含まれる実施形態３３〜４６のうちの１つに記載の方法。
【００８０】
４９．ハンドオーバ・イベントはＥＳによって通信される実施形態３４〜４８のうちの１つに記載の方法。
【００８１】
５０．ハンドオーバ情報はＩＳによって通信される実施形態３５〜４８のうちの１つに記載の方法。
【００８２】
５１．ハンドオーバコマンドはＣＳによって通信される実施形態３６〜４８のうちの１つに記載の方法。
【００８３】
５２．リモートイベントはレイヤ２トランスポートを介して通信される実施形態３４〜５１のうちの１つに記載の方法。
【００８４】
５３．リモート情報はレイヤ２トランスポートを介して通信される実施形態３５〜５１のうちの１つに記載の方法。
【００８５】
５４．リモートコマンドはレイヤ２トランスポートを介して通信される実施形態３６〜５１のうちの１つに記載の方法。
【００８６】
５５．ＷＴＲＵのＭＩＨエンティティは、上位レイヤトランスポートプロトコルを使用してＵＭＡＭのＭＩＨエンティティと通信する実施形態３３〜５４のうちの１つに記載の方法。
【００８７】
本発明の特徴および要素は、特定の組合せで好まし実施形態に記載されているが、各特徴または要素は、好ましい実施形態の他の特徴および要素無しで単体で使用したり、本発明の他の特徴および要素との組合せに関わらず様々な組合せで使用したりすることができる。
【図面の簡単な説明】
【００８８】
【図１】無線通信システムの従来のＵＭＡ機能アーキテクチャを示す図である。
【図２Ａ】本発明によるＭＩＨエンティティ間のシグナリングと共にＷＴＲＵおよびネットワーク内を示す図である。
【図２Ｂ】本発明によるＭＩＨエンティティ間のシグナリングと共にＷＴＲＵおよびネットワーク内を示す図である。
【図３】本発明による回路交換（ＣＳ）ドメインにおけるＵＭＡ−ＭＩＨプロトコルアーキテクチャを示す図である。
【図４】本発明によるパケット交換（ＰＳ）ドメインにおけるＵＭＡ−ＭＩＨプロトコルアーキテクチャを示す図である。
【図５】本発明によるＷＴＲＵ ＣＳドメインシグナリングアーキテクチャを示す図である。
【図６】本発明によるＷＴＲＵ ＰＳドメインシグナリングアーキテクチャを示す図である。
【図７】本発明による免許不要移動アクセスネットワーク（ＵＭＡＮ）と公衆陸上移動網（ＰＬＭＮ）との間のハンドオーバをトリガするプロセスを示すフロー図である。
【図１】
2009506587.tif 000003
【図２Ａ】
2009506587.tif 000004
【図２Ｂ】
2009506587.tif 000005
【図３】
2009506587.tif 000006
【図４】
2009506587.tif 000007
【図５】
2009506587.tif 000008
【図６】
2009506587.tif 000009
【図７】
2009506587.tif 000010